(57)【特許請求の範囲】
【請求項１】
複数の気筒に吸入される吸気の温度を検出する吸気温度検出手段と、
各気筒から排出される排気の温度を検出する排気温度検出手段と、
前記吸気温度検出手段で検出した吸気温度と前記排気温度検出手段で検出した排気温度に基づいて各気筒の圧縮比を推定する圧縮比推定手段と、
前記圧縮比推定手段で推定した各気筒の圧縮比に基づき内燃機関の運転制御値を気筒毎に補正する補正制御手段と
を備えたことを特徴とする多気筒内燃機関。
【請求項２】
前記内燃機関の冷却水温度を検出する冷却水温度検出手段を備え、
前記圧縮比推定手段は、前記吸気温度検出手段で検出した吸気温度と前記冷却水温度検出手段で検出した冷却水温度に基づいて各気筒の上死点筒内温度を推定し、推定した各気筒の上死点筒内温度と前記吸気温度検出手段で検出した排気温度に基づいて各気筒の圧縮比を推定することを特徴とする請求項１に記載の多気筒内燃機関。
【請求項３】
前記圧縮比推定手段は、前記上死点筒内温度と前記吸気温度との比が大きいほど圧縮比が高いと推定することを特徴とする請求項２に記載の多気筒内燃機関。
【請求項４】
各気筒に燃料を供給する燃料供給手段を備え、
前記圧縮比推定手段は、前記内燃機関のクランキング中で、かつ前記燃料供給手段からの燃料供給が停止している運転状態で圧縮比を推定することを特徴とする請求項１から３の何れか1つに記載の多気筒内燃機関。
【発明の詳細な説明】
【技術分野】
【０００１】
本発明は、多気筒内燃機関に関するものである。
【背景技術】
【０００２】
複数気筒を持つ内燃機関においては、各気筒の燃焼室を形成するピストンとシリンダヘッドとにわずかの製造誤差が存在し、これにより気筒毎の実圧縮比にばらつきが生じる。  ここで、各気筒が相互に実圧縮比のばらつきを生じている場合、各気筒毎に、圧縮端の温度、圧力が相互に異なるという事態が生じることとなる。このため、各気筒を同一の燃料噴射条件で運転したとしても、各気筒毎に回転変動が発生する憂いがある。また、特定の気筒で排気ガス特性が最適な運転となっていない状態が生じることもある。
【０００３】
そこで、複数気筒を持つ内燃機関において、各気筒が相互に実圧縮比のばらつきを生じているか否かを検査し、その各気筒相互の圧縮比のばらつきを予め検出しておき、そのばらつきを補正するための補正値を求めておくことで、その補正値を用いて運転制御値を補正し、複数気筒の相互のばらつきを排除し、ばらつきによる気筒間の制御ずれに起因する、例えば、排気ガス特性が悪化するというような事態の発生を防止し、あるいは、各気筒の回転変動を抑制するため、圧縮比が低い気筒はその分燃料噴射量を多くするようにして圧縮比ばらつきに起因する振動を抑えるとの処理を行えると推測される。
【０００４】
そこで、このばらつきを測定する必要があるが、その場合、製造ラインでの各気筒の実圧縮比の計測には、工数がかかりすぎるため、困難である。  
なお、特許文献１（特開平１１−３５１０２５号公報）に開示のディーゼルエンジンの制御装置には、スタータ信号検出直後の数サイクルは、燃料噴射を停止し、該各気筒の吸気上死点時のエンジン回転数を検出し、該各気筒のエンジン回転数差から、該各気筒の圧縮比ばらつきを演算する圧縮比ばらつき演算手段が記載される。
【先行技術文献】
【特許文献】
【０００５】
【特許文献１】特開平１１−３５１０２５号公報
【発明の概要】
【発明が解決しようとする課題】
【０００６】
上述のように、各気筒相互の圧縮比の相対的なずれを検出する必要があるが、特許文献１に記載されたように、クランキング中のエンジン回転数の変動から各気筒の圧縮比のずれを算出する場合、圧縮比のずれ以外にバッテリ電圧の変動やスタータ自体のトルク変動、各気筒のフリクションまたは外部負荷の変動などエンジン回転数の変動にかかわる要因が多々あるため、エンジン回転数の変動から実圧縮比を推定することは精度の低いものとなっている。
【０００７】
本発明は以上のような課題に基づきなされたもので、目的とするところは、気筒毎の圧縮比を的確に推定でき、求めた気筒毎の圧縮比を用いて内燃機関の運転制御値を各気筒の圧縮比のばらつきを排除するように補正できる多気筒内燃機関を提供することにある。
【課題を解決するための手段】
【０００８】
本願請求項１の発明は、複数の気筒に吸入される吸気の温度を検出する吸気温度検出手段と、各気筒から排出される排気の温度を検出する排気温度検出手段と、前記吸気温度検出手段で検出した吸気温度と前記排気温度検出手段で検出した排気温度に基づいて各気筒の圧縮比を推定する圧縮比推定手段と、前記圧縮比推定手段で推定した各気筒の圧縮比に基づき内燃機関の運転制御値を気筒毎に補正する補正制御手段と
を備えたことを特徴とする。
【０００９】
請求項２の発明は、請求項１記載の多気筒内燃機関において、前記内燃機関の冷却水温度を検出する冷却水温度検出手段を備え、前記圧縮比推定手段は、前記吸気温度検出手段で検出した吸気温度と前記冷却水温度検出手段で検出した冷却水温度に基づいて各気筒の上死点筒内温度を推定し、推定した各気筒の上死点筒内温度と前記吸気温度検出手段で検出した排気温度に基づいて各気筒の圧縮比を推定することを特徴とする。
【００１０】
請求項３の発明は、請求項２記載の多気筒内燃機関において、前記圧縮比推定手段は、前記上死点筒内温度と前記吸気温度との比が大きいほど圧縮比が高いと推定することを特徴とする。
【００１１】
請求項４の発明は、請求項１から３の何れか1つに記載の多気筒内燃機関において、各気筒に燃料を供給する燃料供給手段を備え、前記圧縮比推定手段は、前記内燃機関のクランキング中で、かつ前記燃料供給手段からの燃料供給が停止している運転状態で圧縮比を推定することを特徴とする。
【発明の効果】
【００１２】
請求項１の発明は、気筒に吸入される吸気の吸気温度と、気筒から排出される排気の排気温度とに基づいて圧縮比を推定するので、各気筒の圧縮比にそって圧縮膨張した空気、即ち圧縮比の影響を受けた排気の温度により各気筒の圧縮比を的確に推定でき、求めた各気筒の圧縮比のばらつきの影響を排除するように内燃機関の運転制御値を補正することができる。
【００１３】
請求項２の発明は、吸気温度と冷却水温とに基づいて上死点筒内温度を推定し、推定した上死点筒内温度と排気温度に基づいて圧縮比を推定するので、気筒内の空気が冷却水と熱量の授受を行っても各気筒の圧縮比を的確に推定でき、求めた各気筒の圧縮比のばらつきの影響を排除するように内燃機関の運転制御値を補正することができる。
【００１４】
請求項３の発明は、上死点筒内温度と排気温度の比により圧縮比を容易に推定できる。
【００１５】
請求項４の発明は、燃料の気化熱による温度低下や燃焼による温度上昇を抑制して各気筒の圧縮比を的確に推定でき、求めた各気筒の圧縮比のばらつきの影響を排除するように内燃機関の運転制御値を補正することができる。
【図面の簡単な説明】
【００１６】
【図１】本発明の一実施形態としての多気筒内燃機関の全体構成図である。
【図２】図１の多気筒内燃機関の駆動時の各気筒の排気温度の経時変化特性線図である。
【図３】図１の多気筒内燃機関で用いる圧縮比―前後温度比設定マップの特性説明図である。
【図４】図１の多気筒内燃機関の圧縮比補正制御ルーチンのフローチャートである。
【図５】図１の多気筒内燃機関の圧縮比推定ルーチンのフローチャートである。
【図６】図１の多気筒内燃機関の圧縮比推定ルーチンの変形例でのフローチャートである。
【発明を実施するための形態】
【００１７】
以下、本発明の第１の実施の形態である多気筒内燃機関について説明する。  
図１は、本発明の多気筒内燃機関（以後エンジンと記す）１の全体構成図である。  
本実施形態にかかるエンジン１はシリンダブロック及びその下側部材（不図示）等からなるエンジン本体１０１と、エンジン本体１０１内に設けられピストンｓを収容する燃焼室６と、エンジン本体１０１の上部に組み付けられたシリンダヘッド３とを備えている。ここでピストンｓの上面からその上方（紙面手前方向）に位置するシリンダヘッド３の低壁までの間が燃焼室６を形成しており、この燃焼室６に連通するように吸気ポートｉｐと排気ポートｅｐがシリンダヘッド３に形成されている。吸気ポートｉｐには新気を燃焼室６内に導入するための吸気通路Ｒｉが接続され、排気ポートｅｐには燃焼ガスを排出するための排気通路Ｒｅが接続されている。
【００１８】
エンジン本体１０１の上側のシリンダヘッド３の左右側壁面には吸気マニホールド４及び排気マニホールド５が一体結合され、吸気マニホールド４には吸気路Ｒｉが、排気マニホールド５には排気路Ｒｅが接続される。  
シリンダヘッド３において、吸気ポートｉｐと燃焼室６との接続部には、吸気バルブｂ１が設けられ、排気ポートｅｐと燃焼室６との接続部には、排気バルブｂ２が設けられ、燃焼室６の頂部には、燃料供給手段の要部をなす電気制御式燃料噴射弁（以後単に燃料噴射弁と記す）１７が配置されている。なお、シリンダヘッド３には機関駆動に連動する動弁系（一部のみ図示する）４１の吸気カムシャフト４２及び排気カムシャフト４３が配備され、これにより吸気バルブｂ１や排気バルブｂ２が開閉駆動され、吸気及び排気作動を行う。
【００１９】
ここで、エンジン１は４気筒であり、各気筒の吸気マニホールド４は吸気管８を介して排気ターボチャージャ５０のコンプレッサ５１を経てエアクリーナ９に接続される。エアクリーナ９には、吸入吸気量Ｑａ情報を得るエアフローメータ１１が取り付けられる。
【００２０】
吸気管８内にはステップモータ１２１により駆動されるスロットル弁１２が配置され、更に吸気管８の途中には吸気管８内を流れる吸入空気を冷却するためのインタークーラ７が配置されている。  
スロットルバルブ１２は、アクセルペダル１３とは独立してエンジン制御装置（以後単にＥＣＵと記す）１４の出力信号に基づいてその開度が制御される。さらに、スロットルバルブ１２にはスロットル開度センサ２８が配備され、同センサのスロットル開度θｓ情報がＥＣＵ１４に出力される。なお、図１において、エンジン本体２には同本体内の水温Ｔｗ情報を検出する水温センサ４４（冷却水温度検出手段）が配備され、その検出信号はＥＣＵ１４に出力されている。
【００２１】
ＥＣＵ１４は、デジタルコンピュータから構成され、双方向性バス１４１を介して相互に接続されたＲＯＭ１４２、ＲＡＭ１４３、ＣＰＵ１４４、入力ポート１４５および出力ポート１４６を備え、後述する制御機能を備える。  
なお、アクセルペダル１３の踏込み量に比例した出力を発生するアクセル開度センサ２１、エンジン回転数Ｎｅを算出するための出力パルスを発生する回転パルス発生器２２、複数の気筒に吸入される吸気の温度を吸気マニホールド４の分岐前の位置で検出する吸気温度センサ２３（吸気温度検出手段）の各検出信号は入力ポート１４５に入力される。ここで、ＥＣＵ１４のＲＯＭ１４２には、上述のアクセル開度センサ２１および回転パルス発生器２２により得られる機関負荷率および機関回転数に基づき、運転状態に対応させて設定されている燃料噴射量の値Ｑｆや機関冷却水温Ｔｗに応じた補正値などが予めマップ化されて記憶されている。
【００２２】
一方、エンジン１の各燃焼室６から延びる排気ポートｅｐは排気マニホールド５にそれぞれ連結され、この排気マニホールド５の合流部の下流は排気管１６を介して排気ターボチャージャ５０の排気タービン５２に連結され、更に、排気タービン５２の出口は排気管１６内の未燃燃料を酸化する機能を備えた触媒１５２を内蔵したケーシング１５１に連結され、その下流にはマフラー１６１が順次接続されている。  
排気マニホールド５には、各気筒から延びる排気ポートｅｐ内の排ガス温度を検出する排ガス温度センサ４５が取り付けられ、各気筒の排ガス温度情報をＥＣＵ１４に出力している。
【００２３】
排気マニホールド５と吸気マニホールド４とは排気ガス再循環（以下「ＥＧＲ」という）通路５３を介して互いに連結され、ＥＧＲ通路５３には電気制御式ＥＧＲ制御弁５４が配置されている。  
図１に示すように、各気筒の燃焼室６に設けられた燃料噴射弁１７はＥＣＵ１４からの噴射信号を燃料噴射駆動回路（インジェクタドライバ）３７を介して受けて、燃料供給源から供給された燃料をその噴射量を制御して燃焼室６に噴射する。
【００２４】
各燃料噴射弁１７は不図示の燃料供給管を介して燃料リザーバ、いわゆるコモンレール３０に連結されている。このコモンレール３０内へは燃料供給源側の電気制御式の吐出量可変な燃料ポンプ３１から燃料が供給され、コモンレール３０内に供給された燃料は各燃料噴射弁１７に供給される。コモンレール３０にはコモンレール３０内の燃料圧を検出するための燃料圧センサ２９が取付けられ、燃料圧センサ２９の出力信号に基づいてコモンレール３０内の燃料圧が目標燃料圧となるように燃料ポンプ３１の吐出量が制御される。
【００２５】
燃料供給源側の燃料ポンプ３１の吐出側は燃圧調整手段である電磁スピル弁３２を介して吸入側に戻されており、この電磁スピル弁３２の開度が小さいときほど、高圧燃料ポンプ３１からコモンレール３０に供給される燃料量が増大される。  
一方、低圧燃料ポンプ３４は燃料フィルタ３５を介して燃料タンク３６に接続されている。燃料圧レギュレータ３３は低圧燃料ポンプ３４から吐出された燃料の燃料圧が予め定められた設定燃料圧よりも高くなると、燃料の一部を燃料タンク３６に戻すように構成されており、燃料圧が設定燃料圧よりも高くなるのを阻止している。
【００２６】
次に、ＥＣＵ１４の制御機能を説明する。ＥＣＵ１４は、運転情報に応じて設定された噴射燃料量Ｑｆの燃料を燃料噴射弁１７が噴射するよう制御する燃料噴射制御手段Ａ１として機能し、特に、アイドル運転域で通常アイドル制御を発揮するアイドル燃料供給手段Ａ１−１と、クランキング時燃料供給手段Ａ１−２と、定常運転時燃料供給手段Ａ１−３との機能を各運転状態に応じて発揮する。
【００２７】
アイドル燃料供給手段Ａ１−１は始動後において、冷態時であると冷態時噴射量ＱｆＬを、暖気時であると暖気時噴射量ＱｆＤをそれぞれ予め設定した運転条件であるアイドル回転数Ｎｅａ，アクセル開度θａ、水温Ｔｗに基づき設定し、同噴射量で各気筒の燃料噴射弁１７を駆動し、アイドル回転を実行する。  
クランキング時燃料供給手段Ａ１−２は、クランキング開始時ｔ１より設定回転数の経過までの測定域を各気筒への燃料供給をストップした燃料供給ストップ運転領域Ｅ１として設定し、そのストップ運転領域経過後の時点ｔ２に燃料供給を行い始動領域Ｅ２に入るよう設定される。
【００２８】
ここで、クランキング時燃料供給手段Ａ１−２は、燃料供給ストップ運転領域Ｅ１では、圧縮比推定手段としての機能を発揮する。即ち、ここでは、燃料噴射をストップに保持し、上死点に達した各気筒の上死点温度を吸気温度センサ２３により求めた吸気温度に基づいて断熱圧縮を考慮して推定し、下死点に達した各気筒の排気ポート温度Ｔｅ１〜Ｔｅ４を各排気温度センサ４５により求めた上で、各気筒の圧縮比を推定する。
【００２９】
この場合、図２に示すように、無噴射状態での燃料供給ストップ運転領域Ｅ１が時点ｔ１から開始し、経過後の時点ｔ２（ここでは３サイクルの経過時点とする）で各気筒の排気温度Ｔｅ１〜Ｔｅ４を取り込む。  
次いで、各気筒の上死点筒内温度Ｔ２を断熱圧縮を考慮して下記の式（１）、（２）により推定する。
【００３０】
Ｔ２＝Ｔｅｘ×ε（ｋ−１）＋ｄｔ（Ｔ２ｉｎ−Ｔｗｔ）・・・・（１）
ε（ｋ−１）＝Ｔ２／Ｔ１・・・・（２）
ここで、
Ｔ１：吸気ポート温度
Ｔ２：上死点筒内温度
Ｔ２ｉｎ：吸気温度Ｔ１から演算した圧縮端温度
ここで、Ｔ２ｉｎ＝Ｔ１×（Ｖ１／Ｖ２）（ｋ−１）＝Ｔ１×ε（ｋ−１）・・・・（３）
Ｔｅｘ：排気温度
Ｔｗｔ：冷却水温度
Ｖ１：下死点燃焼室容積
Ｖ２：上死点燃焼室容積
ｋ：比熱比
ε：圧縮比
とする。
【００３１】
上述のところで、式（１）の第１項は、断熱膨張の場合，Ｔ×Ｖ（ｋ−１）＝一定より、
Ｔ２×Ｖ２（ｋ−１）＝Ｔｅｘ×Ｖ１（ｋ−１）を導き、これより、
Ｔ２＝Ｔｅｘ×（Ｖ１／Ｖ２）（ｋ−１）
Ｔ２＝Ｔｅｘ×ε（ｋ−１）、が得られることに基づく。
【００３２】
ここで、上述の式（１）の第２項は吸気温度から演算した圧縮端温度Ｔ２ｉｎ（：断熱圧縮での上死点温度のこと）を式（３）を用いて求め、更に、これより冷却水による放熱が考慮されるよう、冷却水温度Ｔｗｔを減算し、その補正値ｄｔ（Ｔ２ｉｎ−Ｔｗｔ）を算出したもので、この値を第１項に修正値として加算している。  
更に、式（１）で算出される上死点筒内温度Ｔ２と吸気ポート温度Ｔ１を用いて式（２）より、圧縮比εを推定できる。この際、式（２）の特性を図３に示す演算マップｍ１として作成し、演算を簡素化できる。ここで、圧縮比推定手段が用いる演算マップｍ１は上死点筒内温度Ｔ２と吸気ポート温度Ｔ１（吸気温度）との比が大きいほど圧縮比εが高くなるように設定する。
【００３３】
ここで演算する圧縮比εは各気筒毎にε１〜ε４と求められ、これらの相対的偏差が求められる。即ち、ε１〜ε４の平均値εｍを求め、それに対する各気筒の圧縮比の偏差、δε１〜δε４を求める。この圧縮比偏差δε１〜δε４は所定エリアにストアされることとなる。
【００３４】
次に、クランキング時燃料供給手段Ａ１−２は、圧縮比偏差の演算済みを判断して燃料噴射開始時点ｔ２に達すると、燃料供給ストップ運転領域Ｅ１の経過時と見做し、始動領域Ｅ２に入り、燃料噴射を開始し、エンジン回転数が所定値を上回る時点でクランキングを停止する。ここでは所定の始動時燃料量Ｑｆｓを所定の冷態始動用燃料量演算マップ（不図示）で求める。更に、各気筒の気筒識別信号に応じて該当する燃料噴射弁１７を駆動し、始動処理する。なお、上述の燃料噴射開始時点ｔ２は全気筒において圧縮比推定を行うに足る時間が設定されている。具体的には全気筒において吸気行程→圧縮行程→膨張行程→排気行程を経験するまでの時間が予め設定される。
【００３５】
次に、定常運転時燃料供給手段Ａ１−３は定常時の走行条件である要求出力を反映するアクセル開度θａ相当の出力を確保できるよう各気筒の燃料噴射弁１７を噴射駆動して走行を継続することとなる。この際、補正制御手段としての機能を発揮し、適正燃料噴射量を噴射するようフィードバック制御する。
【００３６】
この際、各気筒の燃料噴射量Ｑｆ１〜Ｑｆ４は圧縮比偏差δε１〜δε４に応じて補正される。ここでは、各圧縮比偏差δε１〜δε４に所定の燃料補正係数α（燃料量変換係数でもある）を乗算して各気筒の燃料補正量δｑ１〜δｑ４（δε１×α〜δε４×αを乗算処理する）を求める。これで、燃料噴射量Ｑｆ１〜Ｑｆ４を補正し、補正燃料噴射量Ｑｆａ１〜Ｑｆａ４（δｑ１〜δｑ４を加減処理する）を求める。この補正燃料噴射量ｆａ１〜Ｑｆａ４で各気筒の燃料噴射弁１７を駆動することで、気筒相互の出力変動が排除され、排ガス特性も均一化され、更に、排ガス処理における制御を一律化して行うことが出来る。
【００３７】
図４は本実施形態の圧縮端温度算出制御方法を示したフローチャートである。  
このルーチンが開始されると、まずステップｓ１において吸気温度Ｔｉｍ、排気温度Ｔｅｘ、冷却水温度Ｔｗｔ、エンジン回転数Ｎｅ，負荷θａ，吸入空気量Ｑａ，等が読み込まれる。  
ステップｓ２では、燃料カット状態であるか否かが判定される。Ｙｅｓのときにはステップｓ３に進み、Ｎｏのときには圧縮端温度を正確に推定することができないと判断し、このルーチンを終了する。ステップｓ３では、燃料カット指令を、メインルーチンに出力し、時点ｔ１を設定し、カウントに入る。
【００３８】
ステップｓ４では全気筒において圧縮比推定を行うに足る時間をカウントし、カウント経過の時点ｔ２を判断し、経過前はステップｓ５に進み、不図示のメインルーチン側の指示でクランキングが成されているか否か判断し、Ｎｏではこの処理をメインルーチンに戻し、Ｙｅｓでステップｓ６に達する。ここでは図５に示す圧縮比推定処理に進む。
【００３９】
図５に示すように、圧縮比推定処理ではステップａ１でエンジン回転数Ｎｅ、吸気温度Ｔｉｎ、排気温度Ｔｅｘ、冷却水温度Ｔｗｔを読み取る。次いで、ステップａ２において、ステップａ１で読み込んだデータに応じた現在の上死点筒内温度Ｔ２を演算する。ここでは上述の式（３）を用い吸気温度Ｔ１から圧縮端温度Ｔ２ｉｎを演算し、この値や排気温度Ｔｅｘ等に応じた上死点温度Ｔ２を式（１）を用いて演算する。
【００４０】
次いで、ステップａ３では、式（２）及び図３のマップｍ１を用い、吸気温度Ｔ１、上死点筒内温度Ｔ２を用いて圧縮比εを推定する。  
なお、この処理は各気筒ごとに行われ、ε１〜ε４が演算され、所定エリアにストアされ、ステップｓ７に進む。
【００４１】
ステップｓ７では、各気筒毎にε１〜ε４と求められ有効圧縮比εに基づき、これらの相対的偏差が求められ、ε１〜ε４の平均値εｍを求め、それに対する各気筒の圧縮比の偏差、δε１〜δε４を求め、この圧縮比偏差δε１〜δε４を用いて、各気筒の燃料噴射量Ｑｆ１〜Ｑｆ４を補正し、この補正燃料噴射量ｆａ１〜Ｑｆａ４で各気筒の燃料噴射弁１７を駆動することで、気筒相互の出力変動が排除され、排ガス特性も均一化され、更に、排ガス処理における制御を一律化して行うことが出来る。
【００４２】
上述のところで、ステップｓ７では、各気筒の圧縮比の偏差、δε１〜δε４を用いて、各気筒の補正燃料噴射量ｆａ１〜Ｑｆａ４を求めたが、これに代えて、図６に示すステップｓ７’のように、各気筒の吸気弁ｂ１の閉時期補正量を修正してもよい。
【００４３】
この場合、圧縮比の偏差、δε１〜δε４を用いて、各気筒の吸気弁ｂ１の閉時期を基準値θｃ１〜θｃ４より進角補正係数δθで補正し（θｃ１’＝θｃ１×δθ１：乗算する）、補正閉弁時期θｃ１’〜θｃ４’を求め、これを用いて吸気弁ｂ１の閉時期を補正し、出力補正を行うことで、気筒相互の出力変動が排除される。  
なお、本発明は上述の実施の形態に限定されるわけではなく、特許請求の範囲に記載の技術的思想の範囲内で様々な変更を成し得ることは言うまでもない。
【符号の説明】
【００４４】
１    エンジン（内燃機関の燃料噴射装置）
６    燃焼室
１１    エアフローメータ
２３    吸気温度センサ（吸気温度検出手段）
４４    水温センサ（冷却水温度検出手段）
４５    排ガス温度センサ
ε    圧縮比
θａ    負荷
Ａ１    燃料噴射量演算手段
Ａ１−２    クランキング時燃料供給手段（圧縮比推定手段）
Ａ１−３    定常運転時燃料供給手段(補正制御手段)
Ｅ１    燃料供給ストップ運転領域
ＥＣＵ    制御手段
Ｎｅ    機関回転数
Ｔ１    吸気ポート温度
Ｔ２    上死点筒内温度(上死点温度)
Ｔｅｘ    排気ポート温度
Ｑｆ    燃料噴射量
【図１】
0005392241.tif 000002
【図２】
0005392241.tif 000003
【図３】
0005392241.tif 000004
【図４】
0005392241.tif 000005
【図５】
0005392241.tif 000006
【図６】
0005392241.tif 000007